(57)【要約】【課題】耕耘軸側端部に対する草藁の巻付きを防止すると共に、耕耘幅を広くする。【解決手段】耕耘軸１の左右両端部を夫れ夫れ支枠で支持し少なくとも一方の支枠側から動力伝動するサイドドライブロータリにおいて、耕耘軸１の側端部にフランジ爪２取付用のフランジ３を設け、このフランジ３の外側にはセットボルト４螺挿用タップ穴５を形成したフランジ爪２を重合させて、フランジ３の内側から挿通するセットボルト４をこのタップ穴５に螺挿させて取付けることを特徴とする耕耘装置の耕耘軸の構成。【選択図】　　　　図１
2004141061.tif 000002
【特許請求の範囲】
【請求項１】
耕耘軸１の側端部にフランジ爪２取付用のフランジ３を設け、このフランジ３の外側にはセットボルト４螺挿用タップ穴５を形成したフランジ爪２を重合させて、フランジ３の内側から挿通するセットボルト４をこのタップ穴５に螺挿させて取付けることを特徴とする耕耘装置の耕耘軸。
【請求項２】
耕耘軸１の側端部にフランジ爪２取付用のフランジ３を設け、このフランジ３の外側には、草巻付防止ロッド６頭部７を嵌合させてこの接面部に回り止め可能の凹凸部８を形成の窪穴９を設けたことを特徴とする耕耘装置の耕耘軸。
【請求項３】
耕耘軸１の側端部にフランジ爪２取付用のフランジ３を設け、このフランジ３の外側にはフランジ爪２を重合させてセットボルト４を締付けて取付可能に設け、このフランジ爪２の外側に重合して該セットボルト４に螺挿するナット１０に巻付草切断用の刃縁１１を形成したことを特徴とする耕耘装置の耕耘軸。
【発明の詳細な説明】
【０００１】
【発明の属する技術分野】
この発明は、ロータリ耕耘装置の耕耘軸に関し、フランジ爪を取付ける耕耘軸側端部への草や藁等の巻付を防止するものである。
【０００２】
【従来の技術】
耕耘軸の側端部を伝動ケースや支持アーム等で軸付けするサイドライブ形態の耕耘装置では、フランジ爪の外側にセットボルトの頭部やナットが突出される形態である（例えば、特許文献１）。
【０００３】
【特許文献１】
特開平７ー２０３７０３号公報（第１頁、図２）。
【０００４】
【発明が解決しようとする課題】
前記のように耕耘軸側端部のフランジの外側にセットボルトの頭部やナット等が突出されていると、耕運作業中に草類が巻付き易い。
【０００５】
【課題を解決するための手段】
請求項１に記載の発明は、耕耘軸１の側端部にフランジ爪２取付用のフランジ３を設け、このフランジ３の外側にはセットボルト４螺挿用タップ穴５を形成したフランジ爪２を重合させて、フランジ３の内側から挿通するセットボルト４をこのタップ穴５に螺挿させて取付けることを特徴とする耕耘装置の耕耘軸の構成とする。この耕耘軸１の回転によって耕耘爪やフランジ爪２が一体回転して土壌面を耕耘する。このフランジ爪２にはセットボルト４が螺挿されているが、このフランジ爪２の外側にはナット等の突出部を少なくして平滑化できるため、このフランジ爪２の外側面を、これに対向する耕耘伝動ケースや耕耘サイドカバー等に接近させることができ、草類の巻付き難い状態とする。
【０００６】
請求項２に記載の発明は、耕耘軸１の側端部にフランジ爪２取付用のフランジ３を設け、このフランジ３の外側には、草巻付防止ロッド６頭部７を嵌合させてこの接面部に回り止め可能の凹凸部８を形成の窪穴９を設けたことを特徴とする耕耘装置の耕耘軸の構成とする。耕耘軸１の回転によって耕耘爪やフランジ爪２による耕耘作用と共に、フランジ３に支持された草巻付防止ロッド６により耕耘軸１への草類の巻付が防止される。又、このフランジ３の外側面には巻付防止ロッド６の先端頭部７の突出を少くして、この外側部における耕耘軸１への草類の巻付きをも防止することができる。しかも、この草巻付防止ロッド６の頭部７は窪穴９への嵌合接面部が凹凸部８に形成されているため、この草巻付防止ロット６の着脱時には回り止めすることができ、スッパナ掛けによる回り止めする等の必要がない。
【０００７】
請求項３に記載の発明は、耕耘軸１の側端部にフランジ爪２取付用のフランジ３を設け、このフランジ３の外側にはフランジ爪２を重合させてセットボルト４を締付けて取付可能に設け、このフランジ爪２の外側に重合して該セットボルト４に螺挿するナット１０に巻付草切断用の刃縁１１を形成したことを特徴とする耕耘装置の耕耘軸の構成とする。耕耘軸１と一体のフランジ爪２の回転によってこの耕耘軸１側端部近くの土壌面を耕耘する。このフランジ爪２の外側に突出して回転されるナット１０は、耕耘作用の土壌面に草や藁等があると、この草類を引っ掛けて回転しながらこの耕耘軸１等の周りに巻付けようとするため、このナット１０の刃縁１１によって切断される。
【０００８】
【発明の効果】
請求項１に記載の発明は、フランジ爪２の外側面にセットボルト４の先端部やナット等を突出させないため、この外側部での耕耘軸１への草類の巻き付きを防止することができ、これらフランジ爪２やフランジ３等を外側の耕耘伝動ケースや耕耘サイドカバー等へ接近させて、有効耕耘幅を広くすることができる。
【０００９】
請求項２に記載の発明は、草巻付防止ロッド６頭部７のフランジ３の外側への突出を少なくして草類の耕耘軸１等への巻付を防止できると共に、この草巻付防止ロッド６の着脱時では、この頭部７と窪穴９との間の嵌合接面部の凹凸部８によって、この草巻付防止ロッド６の回り止めを行わせて、回り止め工具等を要せず着脱操作を容易にすることができる。
【００１０】
請求項３に記載の発明は、フランジ３の外側部においてフランジ爪２等の取付け用のナット１０が突出される形態であっても、このナット１０には刃縁１１が形成されていて、巻き付こうとする草類を切断することができ、耕耘軸１への巻付きを防止することができる。
【００１１】
【発明の実施の形態】
この発明の実施例を図面に基づいて説明する。先ず、図１〜図６において、トラクタ車体１２の後側に三点リンク機構１３及びヒッチ１４を介してロータリ耕耘装置１５が連結される。この耕耘装置１５の後側には耕耘後の土壌面を所定畝幅に畝立てする培土器１６が連結される。１７はトラクタの後車輪、１８はリフトアームで、三点リンク機構１３及びヒッチ１４を昇降できる。耕耘装置１５は中央部の入力伝動ケース１９の両側にフレームパイプ２０を一体に有し、このフレームパイプ２０の外側に耕耘伝動ケース２１と支持アーム２２を有して、これらの下端部間にわたって耕耘軸１を軸受して、サイドドライブ形態のロータリ耕耘装置形態とする。２４はマスト、２５は耕耘カバーで、左右両側には前記伝動ケース２１と支持アーム２２の内側に沿うサイドカバー２６を有する。左右のサイドカバー２２の前端部には藁押しを防止するためのディスク２３を回転自在に設ける。２７は耕耘フレームに一体のブラケットで、この後側に培土器１６を配置する培土フレーム２８を連結する。２９は培土器１６の後部を接地支持する接地輪である。
【００１２】
前記伝動ケース２１及び支持アーム２２の下端部には、軸フランジ３０を有した回転軸３１がベアリング３４で軸受けされる。耕耘軸１は左右両端にフランジ３を有し、このフランジ３を回転軸３１の軸フランジ３０に連接させて、ボルト３２で締めつけて一体回転するよう連結する。このボルト３２はフランジ３２の内側から軸フランジ３０に形成のタップ穴３３に螺挿させて連結し、このボルト３２の先端がフランジ３２の外側面に突出しない形態にしている。この伝動ケース２１側の回転軸３１にはスプロケット３５を有し、前記フレームパイプ２０内の伝動軸からチエン３６を介して伝動する。耕耘軸１はホルダ３７を有して耕耘爪３８を取付け、前記回転軸３１によって一体回転して、これら耕耘爪３８とフランジ爪２との回転によって左右サイドカバー２６間の土壌面が耕耘される。
【００１３】
前記回転軸３１を軸受けするベアリング３４の外周には、伝動ケース２１や支持アーム２２等と一体の軸受メタル３９に、サイドカバー２６にボルト４０で一体に取付けられたカバーメタル４１が、ボルト４２締めで取付けられる。この軸受けメタル３９の軸フランジ３０側にシールカバー４３が同ボルト４２で取付けられて、回転軸３１の軸フランジ３０側周面に嵌合させたシール４４を覆っている。
【００１４】
このようにして耕耘軸１のフランジ３は、サイドカバー２６や、この軸芯部のカバーメタル４１、シールカバー４３等に接近させて、軸フランジ３０に取付連結される。フランジ３には、前記各セットボルト４やボルト３２、草巻付防止ロッド６等を通する取付穴４５，４６や窪穴９等が形成される。又、フランジ爪２はこのフランジ３の外側面に取付部を重合させて、このフランジ３の取付穴４５に内側から挿通するセットボルト４をフレンジ爪２のタップ穴５に螺合させて、このフランジ爪２をフランジ３の外側面に締付けて固定する。この状態ではセットボルト４の先端がタップ穴５から外側へ突出しないか、又は突出しても突出を小さくすることができ、耕耘時の草藁等の巻付きを防止できる。しかも、このフランジ爪２をサイドカバー２６やカバーメタル４１の内面により接近した構成とすることができる。又、前記軸フランジ３０に対するフランジ３の取付けにおいても、この内側から取付穴４６に挿通されるボルト３２は、この軸フランジ３０のタップ穴３３に螺挿されて締付固定されるため、この軸フランジ３０をカバーメタル４１等に対して接近させることができる。従ってフランジ爪２をサイドカバー２６に接近させて耕耘幅を広くすることができる。
【００１５】
又、前記草巻付防止ロッド６の頭部７はフランジ３の窪穴９に嵌合されるために、この頭部７をフランジ３の外側面から突出させないか、又は突出しても突出量を小さくすることができ、草藁等の巻付きを防止することができる。又、この頭部７と窪穴８と嵌合面は円錐状で菊座形態の凹凸部８が形成されて、相互に咬み合う形態に構成される。この草巻付防止ロッド６の他端部は、耕耘軸１の中央部に突出するフランジ４７の取付穴に挿通させてロックナット４８で締付け固定できる。この草巻付防止ロッド６を着脱する場合は、ロックナット４８を工具で回すことによって行うが、頭部７が凹凸部８で窪穴９部に咬み合って回り止めされているため、ロックナット４８の回動を的確に行うことができる。
【００１６】
次に、主として図７に基づいて上例と異なる点は、前記フランジ爪２を取付け固定するため、セットボルト４に螺合するためのナット１０に巻付草藁等を切断する刃縁１１を形成したものである。このナット１０はカバーメタル４１の外周面に接近させて回転するように設けられ、このカバーメタル４１との間隙部に介入しようとする草等を切断して、回転軸３１部への巻付きを防止する。このナット１０はフランジ爪２の幅方向にわたって長く形成されてセットボルト４を複数螺合しうるナット穴を形成する。このナット１０の回転方向側に刃縁１１が形成される。この刃縁１１はフランジ爪２の回転方向側縁より若干突出させて、軸芯側が回転方向側に位置し外側端を回転方向後位にして傾斜させることにより、草切断作用の行われ易い形態としている。この形態ではフランジ爪２にはセットボルト４を単に挿通する取付穴４９を形成し、フランジ爪２の外側にナット１０を突出重合させる。
【００１７】
次に、主として図８、図９に基づいて上例と異なる点は、前記サイドカバー２６の前端部外側に設けるディスク２３の耕深に応じた上下位置調節を簡単な操作で行わせるものである。耕耘軸１を逆回転する逆転成畝ロータリ耕耘装置においては、稲藁等がサイドカバー２６前側部に堆積すると、耕耘装置１５が持上げられて、耕深が浅くなり、正確な畝立てを行うことができ難いものであるが、このサイドカバー２６の前側にディスク２３を設けて、稲藁等を排除して、目的の耕深を得るようにするものである。サイドカバー２６の外側に、アーム軸５１周りに上下回動自在で長さ調節可能のディスクアーム５０を設け、このディスクアーム５０の前端にディスク２３をディスク軸５２で回転自在に設ける。このディスクアーム５０には操作レバー５３を設けて、サイドカバー２６の前端縁に形成の調節切欠部５４に切換係合させることができる。ディスクアーム５０には長穴５５を形成してアーム軸５１に嵌合させて、上下に回動自在で前後に摺動自在に設けられる。このディスクアーム５０とアーム軸５１部との間にはスプリング５６が設けられて、このディスクアーム５０を後側へ弾発させている。
【００１８】
操作レバー５３をスプリング５６に抗して操作して調節切欠部５４から前側へ外して上下に回動させると、ディスク２３をアーム軸５１周りに回動させて、ディスク２３の土壌面に対する切込深さが深浅調節できる。このようなディスク２３の深さ調節は操作レバー５３の操作で簡単に行われる。このような操作レバー５３の手動操作に代えて、トラクタの運転席近くの操作レバーによって遠隔操作するようにワイヤー等で連動構成することもできる。
【図面の簡単な説明】
【図１】耕耘軸部の傾斜面と、この一部の拡大斜視図、断面図。
【図２】そのフランジ爪取付部の背面図。
【図３】耕耘装置部の側面図。
【図４】その平面図。
【図５】その一部の側断面図。
【図６】その背面図。
【図７】一部別実施例を示すフランジ爪取付部の背面図と、その側面図、斜視図。
【図８】一部別実施例を示すディスク部の側面図。
【図９】その平面図。
【符号の説明】
１　　耕耘軸
２　　フランジ爪
３　　フランジ
４　　セットボルト
５　　タップ穴
６　　草巻付防止ロッド
７　　頭部
８　　凹凸部
９　　窪穴
１０　　ナット
１１　　刃縁
【図１】
2004141061.tif 000003
【図２】
2004141061.tif 000004
【図３】
2004141061.tif 000005
【図４】
2004141061.tif 000006
【図５】
2004141061.tif 000007
【図６】
2004141061.tif 000008
【図７】
2004141061.tif 000009
【図８】
2004141061.tif 000010
【図９】
2004141061.tif 000011